(57)【特許請求の範囲】
【請求項１】
検索キーに対応付けられた目的地データを複数記憶する目的地データ記憶手段と、
目的地データに関連する関連語と、関連語に対応付けられ、複数の目的地データを総称し、目的地データに対応付けられた総称語を記憶した曖昧辞書記憶手段と、
文字を入力する文字入力手段と、
前記入力された文字を検索キーとして、前記目的地データ記憶手段に記憶された目的地データから、一部が一致する目的地データ及び全部が一致する目的地データを絞り込む通常検索手段と、
前記入力された文字と完全一致する前記関連語を抽出し、該関連語に対応付けられた総称語を絞り込み、該絞り込んだ総称語に対応する目的地データを絞り込む曖昧検索手段と、
前記通常検索手段による検索結果と、前記曖昧検索手段で絞り込んだ総称語をリスト表示する検索結果表示手段と、
を具備し、
前記検索結果表示手段は、前記曖昧検索手段により総称語が絞り込まれている場合、リストに総称語を表示し、その後に引き続いて通常検索の目的地候補を表示する
ことを特徴とする目的地入力装置。
【請求項２】
前記関連語は、目的地を表す語の略称、愛称、又は別名により構成されていることを特徴とする請求項１に記載の目的地入力装置。
【請求項３】
検索キーに対応付けられた目的地データを複数記憶する目的地データ記憶手段と、目的地データに関連する関連語と、関連語に対応付けられ、複数の目的地データを総称し、目的地データに対応付けられた総称語を記憶した曖昧辞書記憶手段を備えたコンピュータに、
文字を入力する文字入力機能と、
前記入力された文字を検索キーとして、前記目的地データ記憶手段に記憶された目的地データから、一部が一致する目的地データ及び全部が一致する目的地データを絞り込む通常検索機能と、
前記入力された文字と完全一致する前記関連語を抽出し、該関連語に対応付けられた総称語を絞り込み、該絞り込んだ総称語に対応する目的地データを絞り込む曖昧検索機能と、
前記通常検索機能による検索結果と、前記曖昧検索機能で絞り込んだ総称語をリスト表示する検索結果表示機能と、を実現させ、
前記検索結果表示機能は、前記曖昧検索機能により総称語が絞り込まれている場合、リストに総称語を表示し、その後に引き続いて通常検索の目的地候補を表示する
ことを特徴とする目的地入力用プログラム。
【発明の詳細な説明】
【技術分野】
【０００１】
本発明は、目的地入力装置及び目的地入力用プログラムに係り、例えば、ナビゲーション装置における目的地の入力に関する。
【背景技術】
【０００２】
近年、ナビゲーション装置によって車両を誘導することが盛んに行われている。
ナビゲーション装置は、出発地から目的地までの経路を探索する機能、ＧＰＳ（Ｇｌｏｂａｌ  Ｐｏｓｉｔｉｏｎｉｎｇ  Ｓｙｓｔｅｍ）衛星やジャイロなどのセンサを用いて自車両の位置を検出する機能、及び目的地までの経路と自車両の現在位置を地図上に表示する機能などを備えている。
一般に、ナビゲーション装置では、経路を探索する場合や、現在地周辺の施設を検索してその情報を確認する場合などに、目的地の入力が行われる。この目的地の入力において、入力された文字に対応する目的地の候補が目的地データファイルから検索され、目的地候補が表示されると共に、表示された目的地候補のいずれかを選択することにより目的地の入力が完了する。
【０００３】
そして、従来から目的地の入力を効率的に行うために種々の提案がされている。
例えば、特許文献１では、類似語を記憶した類似語記憶部７を設け、これを参照することによりキーワードの類似語を抽出し、キーワードと類似語から目的地情報記憶部１２を検索する技術について提案されている。
【０００４】
【特許文献１】特開２００５−２６５６８８
【発明の開示】
【発明が解決しようとする課題】
【０００５】
このように、入力文字とその関連文字を類似語やシソーラス辞書等から選択し、入力文字と関連文字から所定項目を検索する場合、すなわち、入力語に対して曖昧さを許す検索を行う場合、正確な入力文字を記憶していないユーザにとっては有効な機能となる。
しかし、曖昧さを許した検索を行う場合、実際にユーザが意図した施設以外の施設も検索されるため、膨大な結果から希望する目的地を探す必要がある。
そして、曖昧さが不要なユーザにとっては不要なリストが膨大になり検索結果が見にくくなっていた。
また曖昧さを含んだ結果を別の操作により表示する場合には操作が煩雑になったり、有用な検索機能であるにも係わらず該機能の存在やその操作に気づかずに不便をする場合もある。
【０００６】
そこで本発明は、対象となる目的地の選択を効率的に行うことを目的とする。
【課題を解決するための手段】
【０００７】
（１）前記目的を達成するために請求項１記載の発明では、検索キーに対応付けられた目的地データを複数記憶する目的地データ記憶手段と、目的地データに関連する関連語と、関連語に対応付けられ、複数の目的地データを総称し、目的地データに対応付けられた総称語を記憶した曖昧辞書記憶手段と、文字を入力する文字入力手段と、前記入力された文字を検索キーとして、前記目的地データ記憶手段に記憶された目的地データから、一部が一致する目的地データ及び全部が一致する目的地データを絞り込む通常検索手段と、前記入力された文字と完全一致する前記関連語を抽出し、該関連語に対応付けられた総称語を絞り込み、該絞り込んだ総称語に対応する目的地データを絞り込む曖昧検索手段と、前記通常検索手段による検索結果と、前記曖昧検索手段で絞り込んだ総称語をリスト表示する検索結果表示手段と、を具備し、前記検索結果表示手段は、前記曖昧検索手段により総称語が絞り込まれている場合、リストに総称語を表示し、その後に引き続いて通常検索の目的地候補を表示することを特徴とする目的地入力装置を提供する。
（２）請求項２に記載の発明では、前記関連語は、目的地を表す語の略称、愛称、又は別名により構成されていることを特徴とする請求項１に記載の目的地入力装置を提供する。
（３）請求項３に記載の発明では、検索キーに対応付けられた目的地データを複数記憶する目的地データ記憶手段と、目的地データに関連する関連語と、関連語に対応付けられ、複数の目的地データを総称し、目的地データに対応付けられた総称語を記憶した曖昧辞書記憶手段を備えたコンピュータに、文字を入力する文字入力機能と、前記入力された文字を検索キーとして、前記目的地データ記憶手段に記憶された目的地データから、一部が一致する目的地データ及び全部が一致する目的地データを絞り込む通常検索機能と、前記入力された文字と完全一致する前記関連語を抽出し、該関連語に対応付けられた総称語を絞り込み、該絞り込んだ総称語に対応する目的地データを絞り込む曖昧検索機能と、前記通常検索機能による検索結果と、前記曖昧検索機能で絞り込んだ総称語をリスト表示する検索結果表示機能と、を実現させ、前記検索結果表示機能は、前記曖昧検索機能により総称語が絞り込まれている場合、リストに総称語を表示し、その後に引き続いて通常検索の目的地候補を表示することを特徴とする目的地入力用プログラムを提供する。
【発明の効果】
【０００８】
請求項１、請求項３記載の発明によれば、曖昧検索において、入力された文字と完全一致する関連語を抽出し、該関連語に対応付けられた目的地データを絞り込むので、曖昧検索により絞り込まれる目的地データ件数の増大を抑え、対象となる目的地を効率的に選択することができる。
請求項２記載の発明によれば、入力された文字を検索キーとして関連語を抽出し、該関連語に対応付けられた総称語と、通常検索で絞り込まれた目的地データを、入力された文字に対応する検索結果としてリスト表示するので、曖昧検索によるリスト表示件数の増大を抑え、対象となる目的地を効率的に選択することができる。
【発明を実施するための最良の形態】
【０００９】
以下、本発明の目的地入力装置及び目的地入力用プログラムを備えた、ナビゲーション装置及びナビゲーション用プログラムにおける好適な実施の形態について、図１から図７を参照して詳細に説明する。
（１）実施形態の概要
本実施形態では、読みを検索キーとして目的地データファイルから目的地データ（施設情報）を絞り込む通常検索に加え、曖昧辞書を使用した曖昧検索を行う。
曖昧辞書は、目的地データに関連する関連語と、該関連語に対応付けられた複数の目的地データを総称する総称語が記憶され、各総称語と目的地データとが対応付けられている。曖昧検索では、入力文字に完全一致する関連語を抽出し、抽出した関連語に対応する総称語を曖昧辞書から絞り込み、絞り込んだ総称語に対応する目的地データを目的地データファイルから絞り込む。
目的地データに関連する関連語は、例えば、目的地を表す語の略称や愛称、別名等を含む同義語等により構成されている。また総称語は、複数の目的地データ間の読みの一部が共通している語で構成されている。
【００１０】
通常検索では、入力文字に基づいて目的地データファイルから目的地データを絞り込む場合、入力される1文字毎に順次絞り込みを行う。
例えば「ま」「っ」「く」…の順に文字が入力された場合、「ま」の入力により読みが「ま」で始まる目的地データが絞り込まれ、この絞り込まれた目的地データを対象として、次の入力文字を加えた「まっ」を読みに含む目的地データが絞り込まれる。さらに絞り込まれた目的地データを対象として「まっく」を読みに含む目的地データが絞り込まれる。以後、同様にして１文字入力される毎に、絞り込み済みの目的地データから更なる絞り込みが行われ、完了ボタンが選択されると、それまでに絞り込んだ目的地データを目的地候補としてディスプレイに表示する。
【００１１】
一方、曖昧辞書を使用して目的地データを絞り込む場合、入力された１文字毎に対象となる関連語を抽出するのではなく、既に入力されている全入力文字と完全一致する関連語を抽出する。例えば、関連語として「まっく」が登録されている場合、入力「まっ」の時点では抽出されず、「まっく」まで入力された時点で完全一致するため関連語「まっく」が抽出され、抽出された関連語「まっく」に対応付けられた総称語「マクドナルド」「マックストア」…と、総称語「マクドナルド」等に対応付けられた目的地データ「マクドナルド○○支店」…が絞り込まれる。
【００１２】
さらに「す」が入力されて「まっくす」となった場合、関連語「まっく」とは完全一致しないので、関連語「まっく」の抽出と、及び関連語に基づく総称語と目的地データの絞り込みは行われない。
ただし、「戻る」ボタンの操作により１つ前の操作に戻る場合も考慮して、入力「まっく」に対応して抽出した関連語と、絞り込んだ総称語、目的地データは、別途保存しておく。
「まっくす」の入力に対して、完全一致する関連語「まっくす」が存在しなければ、関連語は抽出されず、存在すれば該関連語「まっくす」の抽出と対応する総称語の絞り込みと、総称語に対応する目的地データの絞り込みが行われる。
【００１３】
このように、曖昧辞書からは、入力文字と完全一致している関連語を抽出対象とすることで、略称や別名などを知っている場合にも曖昧検索による絞り込みを可能にすると共に、目絞り込み対象数の増大を抑えることができる。
【００１４】
一方、文字入力後に完了ボタンが選択されると、絞り込んだ目的地データを候補リストとして表示する。この場合、通常検索で絞り込まれた目的地データに加えて、曖昧辞書から抽出した関連語が存在する場合には当該関連語に対応する総称語を併せて候補リストに表示する。
曖昧辞書には１の総称語に対応して複数の目的地データが対応付けられているので、総称語から絞り込まれた目的地データではなく総称語を表示することで、候補表示欄のリスト表示対象数（目的地データと総称語の表示数）を減らすことができる。
【００１５】
候補リストに表示された総称語が選択された場合に、選択された総称語に対応して絞り込まれた目的地データを候補リストとして表示する。
また、候補リストは総称語を上位（上側に）表示するが、総称語が多い場合を考慮して、通常検索による目的地候補の先頭にリスト表示を移動させるための移動ボタンとして検索切換ボタン７８を配置する。
【００１６】
（２）実施形態の詳細
図１は本実施形態における目的地入力装置及び目的地入力用プログラムが適用されるナビゲーション装置のシステム構成図である。
このナビゲーション装置１は、車両に搭載され、この図１に示すように、現在位置検出装置１０、情報処理制御装置２０、入出力装置４０及び情報記憶装置５０とを備えている。
まず、現在位置検出装置１０は、以下のような構成を有している。絶対方位センサ１１は、例えば、磁石に基づいてＮ方向の検出から、車両がいずれの方向に位置するかを検出する地磁気センサであり、絶対方位を検出する手段であればよい。
【００１７】
相対方位センサ１２は、例えば交差点を曲がったか否かを検出するものであり、ハンドルの回転部に取り付けた光学的な回転センサや回転型の抵抗ボリューム或いは車輪部に取り付ける角度センサでもよい。
また、角速度を利用して角度の変化を検出するジャイロセンサを用いてもよい。つまり、基準角度（絶対方位）に対して、相対的に変化した角度を検出することができる手段であればよい。
距離センサ１３は、例えば、車輪の回転を検出して計数するものや、加速度を検出して２回積分するものでもよい。つまり、車両の移動距離を計測できる手段であればよい。
【００１８】
ＧＰＳ受信装置１４は、人工衛星からの信号を受信する装置であり、信号の発信時刻、受信装置の位置情報、受信装置の移動速度、受信装置の進行方向など様々な情報を得ることができる。
ビーコン受信装置１５は、特定の地点に設置された送信装置より発信された信号を受信する装置である。特に、ＶＩＣＳ情報を入手することができ、渋滞情報、現在位置情報、駐車場情報等車両の走行に関する情報を入手することができる。
【００１９】
データ送受信装置１６は、電話回線や電波を利用して車両外部と通信をし、情報の交換を行うための装置である。
例えば、自動車電話、ＡＴＩＳ、ＶＩＣＳ、ＧＰＳ補正、車両間通信など様々な利用方法があり、走行に関する情報を入出力することが可能である。
次に、情報処理制御装置２０は、現在位置検出装置１０、入出力装置４０から入力される情報及び情報記憶装置５０に格納された情報に基づいて演算及び制御を行うとともに、演算結果をディスプレイ４２、プリンタ４３またはスピーカ４４等の出力手段に出力するように制御する手段である。
【００２０】
この情報処理制御装置２０は、以下のような構成を有している。
中央処理装置（ＣＰＵ）２１は、ナビゲーション装置１全体の総括的な演算及び制御を行う。
第１ＲＯＭ２２はナビゲーションに関するプログラム、特に、本実施形態における通常検索と曖昧検索による目的地入力処理、現在位置の検出、経路の探索、表示案内などに関するナビゲーションプログラムを格納している。
センサ入力インターフェイス２３は、現在位置検出装置１０からの情報を受け取る手段である。
【００２１】
ＲＡＭ２４は、後述する入力装置４１により入力及び決定された目的地の情報、通過地点の情報等の利用者が入力した情報を記憶すると共に、利用者の入力情報に基づいてＣＰＵ２１により演算された結果や、経路探索された結果、更に情報記憶装置５０から読み込まれた地図情報を格納するための記憶手段である。
またＲＡＭ２４には、本実施形態における目的地入力処理において、曖昧検索で抽出した関連語と、該関連語から絞り込んだ総称語と総称語から絞り込んだ目的地データ、及び、通常検索で絞り込んだ目的地データが目的地候補として格納される。
通信インターフェイス２５は、現在位置検出手段１０からの情報、特に外部から得られる情報を入出力するための手段である。
【００２２】
第２ＲＯＭ２６は、ナビゲーションに関するプログラム、特に、音声案内に関するナビゲーションプログラムを格納している。
画像プロセッサ２７は、ＣＰＵ２１で処理されたベクトル情報を画像情報に処理するための処理手段である。
時計２８は、時刻を刻む。
画像メモリ２９は、画像プロセッサ２７により処理された画像情報を格納する手段である。
音声プロセッサ３０は、情報記憶装置５０から読み込まれた音声情報を処理し、スピーカ４４に出力する。
【００２３】
入出力装置４０は、利用者により目的地、通過地点、探索条件等のデータを入力する入力装置４１、画像を表示するディスプレイ４２、情報を印刷するプリンタ４３、音声を出力するスピーカ４４より構成される。入力装置４１は、例えば、ディスプレイ４２の表面に配置されたタッチパネル、タッチスイッチ、ジョイスティック、キースイッチ等で構成される。
ディスプレイ４２には、現在地周辺の地図や、各種操作画面、目的地までの走行経路が表示される。
ディスプレイ４２には、本実施形態における目的地入力処理において、検索文字を入力するための文字入力画面や、検索候補（目的地候補）をリスト表示する候補表示画面等の操作画面が表示される。操作画面に表示された各項目等に対応した位置に触れることで、ディスプレイ４２表面に配置されたタッチパネルから、触れた位置の項目が入力されることになる。
【００２４】
情報記憶装置５０は、伝送路４５を介して情報処理制御装置２０に接続される。
情報記憶装置５０は、地図データファイル５１、交差点データファイル５２、ノードデータファイル５３、道路データファイル５４、写真データファイル５５、目的地データファイル５６、案内地点データファイル５７、その他のデータファイル５９を格納している。
この情報記憶装置５０は、一般的には、光学的記憶媒体であるＤＶＤ−ＲＯＭ、ＣＤ−ＲＯＭや磁気的記憶媒体であるハードディスクなどで構成されるが、光磁気ディスク、半導体メモリなどの各種情報記憶媒体で構成してもよい。
【００２５】
地図データファイル５１には、全国道路地図、各地域の道路地図または住宅地図等の地図データが記憶されている。道路地図は、主要幹線道路、高速道路、細街路等の各道路と地上目標物（施設等）から構成される。住宅地図は、地上建造物等の外形を表す図形及び、道路名称等が表示される市街図である。細街路とは、例えば、国道、県道以下の道幅が所定値以下の比較的狭い道路で、「一方通行」等の交通規制情報が付加されていない道路である。
【００２６】
交差点データファイル５２には交差点の地理的位置座標や名称等の交差点に関するデータが、ノードデータファイル５３には地図上において経路探索に利用される各ノードの地理座標データ等が、道路データファイル５４には道路の位置と種類及び車線数及び各道路間の接続関係等の道路に関するデータが、写真データファイル５５には各種施設や観光地、または主要な交差点等の視覚的表示が要求される場所を写した写真の画像データが、案内地点データファイル５７には道路に設置されている案内表示板の内容や分岐点の案内等、案内が必要とされる地点の案内データが、それぞれ記憶されている。
【００２７】
目的地データファイル５６には、主要観光地や建物、電話帳に記載されている企業・事業所等の目的地として選択可能な場所や施設等、目的地検索の対象についての目的地データが記憶されている。
目的地データとしては、検索キー（名称の読み）と施設情報が記憶されている。施設情報としては、名称、座標、電話番号、付加情報等が記憶される。座標は目的地の緯度、経度から成るｘ、ｙ座標情報であり、付加情報は目的地に関する詳細なデータである。
【００２８】
曖昧データファイル５９には、入力文字（検索キー）と目的地データを関連付ける曖昧辞書が記憶されている。
曖昧辞書には、複数の関連語と、該関連語に対応つけられた１又は複数の総称語が記憶され、更に、各総称語には目的地データファイル５６の目的地データが対応付けられている。
【００２９】
本実施形態では、曖昧検索において、入力文字と完全一致する関連語が抽出される。この関連語は、後述するように通常検索における通常検索における検索キーと共通して保存されている。そして関連語に該当する検索キーに、対応する総称語のアドレス等のポイントデータが記憶されることで、関連語と総称語とが対応付けられている。
ただし、関連語を通常検索の検索キーと共通化させず、関連語と総称データとを曖昧辞書に保存するようにしてもよい。この場合、入力された文字に対して、通常検索における検索キーとともに、曖昧検索における関連語の検索が行われる。
【００３０】
曖昧辞書に記憶される関連語としては、目的地を表す語の略称や愛称、別名等を含む同義語等により構成されている。なお、シソーラス辞典や類義語辞典を使用、又は併用するようにしてもよい。
曖昧辞書には、各総称語に対応して、複数の目的地データのアドレス等のポイントデータが記憶されることで、総称語と目的地データとが対応つけられている。
総称語は、複数の目的地データ間の読みの一部が共通している語で構成されている。
【００３１】
図２は、目的地データファイル５６及び曖昧データファイル５８に記憶される目的地データと曖昧辞書の対応関係を概念的に表したものである。
図２（ａ）に示されるように、入力文字による検索キーとしては、施設情報の名称の読みと、関連語の読みとが、５０音順に配置されている。
そして、各検索キー／関連語に対応付けて施設情報と、曖昧データ（総称語）のアドレス情報（目的地データファイルのアドレス、曖昧データファイルのアドレス）が格納されている。
但し図２（ａ）では、各データ間の関連を分かり易くするため、アドレス情報に代えて関連するデータ箇所を示す矢印で表示している。
【００３２】
図２（ｂ）に示す曖昧データには、曖昧辞書の総称語が格納されている。図の例の他、例えば、関連語（検索キー）「こんびに」に対応して対応付けられる、総称語「ローツン」「セブン・イレブシ」「エーエム・ピーエン」「ファミリー・マーチ」等の各コンビニエンスストアの名称が記憶される。
曖昧データは、各総称語に対応付けて施設情報のアドレス情報が格納されている。但し、この場合も、関連を分かり易くするため、アドレス情報に代えて関連する箇所を矢印で示している。
【００３３】
図２（ｃ）に示す施設情報は、目的地データファイルにおける各目的地データの施設情報のうち名称のみを表示している。
図２（ａ）に示されるように検索キー（関連語）「まっく」に対応する施設情報として、（ｃ）の施設情報における「マックスストア」のアドレスが指定され、それ以降の目的地データが目的地候補として絞り込まれる。
なお、図２（ａ）の施設情報には、（ｃ）の施設情報の先頭アドレスと終端アドレス（入力文字の全てを含む施設情報の最後のアドレス）の両者を保存することで、目的地候補を絞り込むようにしてもよい。
【００３４】
図２（ａ）に示されるように各検索キーは、読みが一部一致している施設情報を関連付けている。すなわち、施設情報のよみ「まっいっかぁ」は、検索キー「ま」「っ」「まっい」「まっいっ」「まっいっか」「まっいっかぁ」に対応付けられている。
これに対して、総称語は、関連語と完全一致している検索キーだけが対応付けられている。すなわち、総称語「マクドナルド」は、関連語「まっく」と完全一致する検索キー「まっく」にだけ対応つけられている。
このように、総称語は関連語と完全一致する検索キーにのみ対応付けることで、入力語と完全一致する関連語が抽出されるようにすることで、曖昧検索により絞り込まれる総称語、及び該総称語から絞り込まれる目的地データが膨大な数になることが防止されている。
【００３５】
このように構成されたナビゲーション装置１では、次のようにして経路案内が行われる。
ナビゲーション装置１は、現在位置検出装置１０で現在位置を検出し、情報記憶装置５０の地図データファイル５１から現在位置周辺の地図情報を読み込みディスプレイ４２に表示する。
そして、後述する目的地入力処理により目的地が設定されると、情報処理制御装置２０は、現在位置から目的地に至る走行経路の候補を複数探索（演算）し、ディスプレイ４２に表示した地図上に表示し、運転者がいずれかの走行経路を選択すると、選択した走行経路をＲＡＭ２４に格納することで、走行経路を取得する（走行経路取得手段）。
【００３６】
なお、情報処理制御装置２０は、情報処理センタに車両現在位置（又は入力された出発地）と、本実施形態で入力した目的地を送信し、情報処理センタで探索された目的地までの走行経路を受信することにより走行経路を取得するようにしてもよい。この場合、目的地や走行経路の通信は通信インターフェイス２５を介して、無線通信により行う。
【００３７】
車両が走行すると、現在位置検出装置１０によって検出された現在位置を追跡することにより、経路案内を行う。
経路案内は、探索した走行経路に対応する道路データと現在位置検出装置１０で検出される現在位置とのマップマッチングにより、地図上の車両位置を特定し、車両現在位置周辺の地図をディスプレイ４２に表示すると共に、探索した走行経路と現在位置とを地図上に表示する。
また、探索した走行経路と現在位置との関係から、案内の必要性、すなわち直進が所定距離以上続く場合、所定の進路変更地点等の走行経路の案内、及び方面案内が必要か否か等について判断し、必要である場合にはディスプレイ４２の表示及び音声による案内を実行する。
【００３８】
次に本実施形態における目的地入力処理について説明する。
図３は、目的地入力処理においてディスプレイ４２に表示される文字入力画面を表したものである。
上述したように、ディスプレイ４２の表面には、入力装置４１（図１）を構成するタッチパネルが形成されており、ユーザがディスプレイ４２に表示されたボタンなどをタッチすると、当該ボタンに対応する情報をナビゲーション装置１に入力することができるようになっている。
図示しないが、ディスプレイ４２の外周縁には、入力装置４１の固定枠が配置され、固定枠の上部領域には、物理的に存在する押しボタン（ハードキー）によって構成された目的地設定ボタンと、現在地周辺の地図画面を表示させるための地図ボタンが設けられている。
【００３９】
この目的地設定ボタンが選択されると、情報処理制御装置２０は、本実施形態による目的地入力処理を開始し、ディスプレイ４２に、図３に示す文字入力画面を表示する。
なお、本実施形態による目的地入力処理により設定される目的地は、経路探索に使用されるほか、決定した目的地や、現在地周辺の候補目的地を地図画面上に表示する場合に使用される。
【００４０】
図３に示すように、文字入力画面では、入力文字欄８１、候補件数欄８２、修正ボタン８３、戻るボタン８４、入力キーボード８５、完了ボタン８６が表示される。
【００４１】
入力文字欄８１は、検索キーとして順次入力された文字を表示する欄である。
入力キーボード８５は、文字を５０音入力するための文字ボタンから構成されている。なお、テンキーや機能キーを表示するようにしてもよい。
【００４２】
候補件数欄８２には、入力文字欄８１に表示される入力文字を検索キーとして通常検索及び曖昧検索により絞り込まれた候補地点（目的地データ）の件数が表示される。
修正ボタン８３は、入力文字欄８１に表示された入力済みの内容を変更する際に使用するボタンである。
修正ボタン４２５は、入力文字を修正する場合のボタンである。
【００４３】
戻るボタン８４は、最後の操作の前の状態に戻すためのボタンである。
完了ボタン８６は、検索キーの入力を完了を指示するボタンであり、このボタンの選択されるとディスプレイ４２の表示は図４に示す候補表示画面に遷移する。
【００４４】
この文字入力画面において、ユーザが意図する検索キーに対応して入力キーボード８５の文字を順次タッチすることで文字入力を行うと、情報処理制御装置２０は、入力済みの文字を順次入力文字欄８１に表示する。
更に情報処理制御装置２０は、入力済みの文字を検索キーとして、通常検索による目的地データの絞り込みと、曖昧検索による関連語の抽出と抽出した関連語による総称語と目的地データの絞り込みを行い、ＲＡＭ２４に保存する。
【００４５】
例えば、入力キーボード８５から文字「ま」が入力されると、情報処理制御装置２０は、入力された文字「ま」を入力文字欄８１に表示する。
そして、情報処理制御装置２０は、通常検索により、目的地データファイル５６の検索キー「ま」を参照し、対応する施設情報欄のアドレス情報から、施設情報「まっいっかあ」以降のデータを目的地候補として絞り込みＲＡＭ２４に保存する。
この時点では、検索キー「ま」と完全一致する関連語は曖昧辞書には登録されていず、検索キー「ま」に対応する曖昧データ欄のアドレス情報は存在しないので、曖昧検索によっては関連語の抽出と、関連語対応する総称語の絞り込み、及び総称語に対応する目的地データの絞り込みの件数はゼロである。
【００４６】
続いて入力キーボード８５から文字「っ」が入力されると、情報処理制御装置２０は、入力文字欄８１の表示を、「ま」から入力済みの文字「まっ」に変更する。
ただい、通常検索、曖昧検索ともに、「まっ」に対応するアドレス情報が「ま」と同じなので、絞り込みの結果は同じになる。
【００４７】
更に、入力キーボード８５から文字「く」が入力されると、情報処理制御装置２０は、文字表示欄８１の表示を「まっく」に変更する。
そして、情報処理制御装置２０は通常検索により、目的地データファイル５６の検索キー（図２（ａ）参照）「まっく」を参照し、対応する施設情報欄のアドレス情報から、施設情報「マックスストア」以降のデータを目的地候補として絞り込み、ＲＡＭ２４に保存する。
【００４８】
一方、情報処理制御装置２０は曖昧検索により、検索キーと完全一致する関連語「まっく」が抽出され、該関連語に対応する総称語「マクドナルド」（登録商標）と、「アップルストア」（登録商標）が曖昧辞書には登録されており、検索キー「まっく」に対応する曖昧データ欄のアドレス情報から関連語「マクドナルド」「アップルストア」を抽出し、ＲＡＭ２４に保存する。
一方、曖昧辞書には、図２（ｂ）に示すように、検索キー「まっく」と完全一致する関連語として「マクドナルド」（登録商標）と、「アップルストア」（登録商標）が曖昧辞書には登録されている。そこで、情報処理制御装置２０は、関連語「まっく」に完全一致する検索キーに対応する曖昧データ欄のアドレス情報により、曖昧データファイル５９から総称語「マクドナルド」「アップルストア」を絞り込んでＲＡＭ２４に保存する。
更に、情報処理制御装置２０は、図２（ｂ）に示すように、絞り込んだ総称語に対応するアドレス情報により、目的地データファイル５６から、各総称語に対応する目的地データ「マクドナルド○○店」以降の目的地データと、「アップルストア○○店」以降の目的地データを目的地候補として絞り込み、各総称語に対応させて保存する。
【００４９】
その後、文字入力画面の完了ボタン８６がタッチされると、情報処理制御装置２０は、ディスプレイ４２の表示画面を候補表示画面６０に遷移させて目的地候補をリスト表示する。
【００５０】
図４は、候補表示画面６０を表したものである。
この図４に示されるように、候補表示画面には、検索キー欄６１、エリア入力欄６２、ジャンル修正ボタン６３、ジャンル入力欄６４、全件数表示欄６５、検索結果表示欄６６、詳細ボタン６７、曖昧検索件数欄６８、戻るボタン６９、スクロールバー７１、読み修正ボタン７２、エリア修正ボタン７３、前ボタン７４、ページボタン７５、７６、次ボタン７７、検索切換ボタン７８が表示される。
【００５１】
検索キー欄６１は、検索対象となる検索キーを表示する欄である。この検索キー欄６１には、図３に示す文字入力画面で完了ボタン８６が選択された時点で入力済みの文字、すなわち、入力文字欄８１に表示されている入力文字が検索キーとして表示される。
読み修正ボタン７２は、検索キー欄６１に表示した文字を修正する場合にタッチするボタンである。読み修正ボタン７２をタッチすると、文字入力画面に戻り、検索キー欄６１に表示した検索キーの修正が可能になる。
【００５２】
エリア入力欄６２は、目的地データを検索する検索エリアを設定する欄である。エリアには、例えば、全国を検索エリアとする「全エリア」や、都道府県を検索エリアとする「大阪府」、「愛知県」、「東京都」、・・・などがある。
図示しないが、目的地入力処理では、検索エリア設定メニューを備えており、ユーザが所望の検索エリアを選択できるようになっている。
ナビゲーション装置１は、エリア入力欄６２で設定されたエリアで絞り込まれた目的地データを使用し、この範囲で検索キーによる目的地候補の絞り込みを行う。
エリア修正ボタン７３は、エリア入力欄６２に設定された検索エリアを修正する際にタッチするボタンである。エリア修正ボタン７３をタッチすると、エリア入力欄６２に設定されている検索エリアが修正可能となり、修正後のエリアを対象として、検索キー欄６１に表示された検索キーによる絞り込みが行われる。
【００５３】
ジャンル入力欄６４は、目的地データを検索するジャンルを設定する欄である。ジャンルには、例えば、「レジャー」「レストラン」、「ホテル」、・・・などがある。
図示しないが、目的地入力処理では、ジャンル設定メニューを備えており、ユーザが所望のジャンルを選択できるようになっている。
ナビゲーション装置１は、ジャンル入力欄６４で設定されたジャンルで絞り込まれた目的地データを使用し、この範囲で検索キーによる目的地候補の絞り込みを行う。
ジャンル修正ボタン６３は、ジャンル入力欄６４に設定されたジャンルを修正する際にタッチするボタンである。ジャンル修正ボタン６３をタッチすると、ジャンル入力欄６４に設定されているジャンルが修正可能となり、修正後のジャンルを対象として、検索キー欄６１に表示された検索キーによる絞り込みが行われる。
以上のように、ナビゲーション装置１は、エリアとジャンルを用いて、検索対象とする目的地データを絞り込んでから検索を行うことにより、検索処理量を低減している。
【００５４】
全件数表示欄６５には、絞り込まれた目的地候補の全件数が表示される。表示される目的地候補の全件数は、通常検索により絞り込まれた目的地候補の件数と、曖昧検索により絞り込まれた目的地候補の件数との合計値である。なお、両件数を別々に表示するようにしてよい。
【００５５】
検索結果表示欄６６は、絞り込んだ目的地候補の名称をリストとして一覧表示するための欄である。
検索結果表示欄６６には、通常検索で絞り込まれた目的地候補や、曖昧検索で絞り込まれた総称語が表示される。また、表示された総称語のいずれかが選択された場合には、選択された総称語に対応して絞り込まれた目的地候補が検索結果表示欄６６に表示される。
検索結果表示欄６６に表示された目的地候補が選択（タッチ）されると、選択された目的地候補の目的地データが入力された目的地として確定する。
【００５６】
詳細ボタン６７は、目的地候補ごとに表示され、ユーザが所望の目的地候補の詳細ボタン６７をタッチすると、ナビゲーション装置１は、当該目的地候補に対応する施設情報を目的地データファイル５６から検索してディスプレイ４２に表示する。
曖昧検索件数欄６８は、曖昧検索により絞り込まれた総称語が検索結果表示欄６６に表示されている場合、各総称語に対応して絞り込まれている目的地候補の件数が表示される。
戻るボタン６９は、文字入力画面に戻るためのボタンである。
【００５７】
前ボタン７４、次ボタン７７は、それぞれ、検索結果表示欄６６の目的地候補を１件ずつスクロールダウン、スクロールアップするためのボタンである。
ページボタン７５、７６は、それぞれ、検索結果表示欄６６の目的地候補をページ単位でスクロールダウン、スクロールアップするためのボタンである。
【００５８】
スクロールバー７１は、全目的地候補のうち、現在表示している目的地候補の位置を表すと共に、スクロールバー７１をタッチしてドラッグすることにより、スクロールアップやスクロールダウンを行うことができる。
【００５９】
検索切換ボタン７８は、検索結果表示欄６６の各欄の表示対象を、曖昧検索による総称語の先頭からの表示と、通常検索による目的地候補の先頭からの表示と、を切り換えるためのボタンである。
本実施形態では、曖昧検索による総称語が絞り込まれている場合、検索結果表示欄６６には、総称語が所定順に表示され、その後に引き続いて通常検索の目的地候補が所定順に表示される。この状態で検索切換ボタン７８がタッチされると、通常検索の目的地候補の先頭に遷移してリスト表示される。その後再度検索切換ボタン７８がタッチされると、総称語の先頭に遷移してリスト表示される。
【００６０】
図５〜図７は、文字入力画面で入力された文字に基づいて行った通常検索、曖昧検索に基づく候補表示画面６０の表示状態を表したものである。
図５は、文字入力画面で「まっ」の２文字が入力された後に完了ボタン８６がタッチされた場合の候補表示画面６０の表示状態を表したものである。
【００６１】
図５に示されるように、情報処理制御装置２０は、決定した検索キー「まっ」を検索キー欄６１に表示する。
そして、情報処理制御装置２０は、文字入力画面において「っ」が入力された際に行った、通常検索と曖昧検索で絞り込んでＲＡＭ２４に保存した目的地候補を読みだし、その総件数３３７９件を全件数表示欄６５に表示する。
【００６２】
また情報処理制御装置２０は、読み出した目的地候補の名称を所定順（本実施形態では５０音順であるが、現在地に近い順とうでもよい）に検索結果表示欄６６に表示する。
上述したように文字入力画面から遷移した当初の候補表示画面では、曖昧検索で絞り込まれた総称語と、通常検索で絞り込まれた目的地候補が、検索結果表示欄６６のリスト表示対象となる。
しかし、図２（ｂ）に例示した曖昧辞書の場合には、検索キー「まっ」に対して完全一致する曖昧データ（関連語）は存在しない。
【００６３】
このため図５の例では、関連語に対応した総称語は表示されず、曖昧検索件数欄６８も全て空欄となっている。また、全件数表示欄６５に表示された件数３３７９件も、通常検索により絞り込まれた目的地候補の件数になっている。
また、検索結果本実施形態欄６６にはリスト表示の対象になる総称語が存在しないので、検索切換ボタン７８は表示されていない。
【００６４】
図６は、文字入力画面で「まっく」の３文字が入力された後に完了ボタン８６がタッチされた場合の候補表示画面６０の表示状態を表したものである。
情報処理制御装置２０は、文字入力画面において最後の文字「く」が入力された際に、入力文字「まっく」を検索キーとして、通常検索を行うことで絞り込んだ目的地候補をＲＡＭ２４に保存している。
また、情報処理制御装置２０は、曖昧辞書から検索キー「まっく」に完全一致する関連語を抽出し、対応する総称語「マクドナルド」と「アップルストア」を絞り込み、当該総称語と共に、各総称語に対応するアドレス情報から絞り込んだ目的地候補（図２参照）をＲＡＭ２４に保存している。
【００６５】
そこで、文字入力画面で完了ボタン８６がタッチされると、図６に示すように、情報処理制御装置２０は、検索キー欄６１に検索キー「まっく」を表示すると共に、検索結果表示欄６６の上位欄から順に、曖昧検索で絞り込んだ総称語と通常検索で絞り込んだ目的地候補をリスト表示する。
図６の例では、検索結果表示欄６６の上位欄から順に総称語「マクドナルド」「アップルストア」が表示され、各総称語に対応して絞り込まれた目的地候補の件数が曖昧検索件数欄６８に表示されている。これによりユーザは、総称語「マクドナルド」に対応する目的地候補として「マクドナルド○○店」「マクドナルド××店」…が３０８１件存在し、総称語「アップルストア」に対応する目的地候補として「アップルストア○○店」「アップルストア××店」…が１３件存在することを認識することができる。
【００６６】
ユーザが表示されている総称語のいずれかにタッチ（選択）すると、情報処理制御装置２０は、選択された総称語に対応して絞り込み済みの目的地候補をＲＡＭ２４から読み出して、検索結果表示欄６６に所定順にリスト表示する。
なお、この場合、本実施形態では、検索キー欄６１は入力された文字「まっく」（＝関連語）のままであるが、選択された総称語（例えば、「マクドナルド」）を表示するようにしてもよい。そして、検索キー欄６１に総称語を表示した場合、全件数表示欄６５には総称語に対応して絞り込まれた目的地候補の全件数を表示するようにしてもよい。
【００６７】
総称語に対応する目的地候補を表示している状態で、戻るボタン６９がタッチされると、情報処理制御装置２０は、直前の状態（図６の状態）に戻って表示する。
【００６８】
なお、図６の状態で総称語に対応する詳細ボタン６７が選択された場合、総称語が選択された場合と同様に、総称語に基づく目的地候補のリスト表示がなされるが、総称語に対応する詳細ボタン６７を非表示（又は非アクティブ状態及びその表示）としてもよい。
【００６９】
図６の例では、曖昧検索で絞り込んだ総称語「マクドナルド」「アップルストア」に続いて、通常検索で絞り込んだ目的地候補「マックスストア本店」「マックスストア○○支店」「マックスメガネ」が表示されている。
「マックスメガネ」以外の目的地候補を表示する場合には、次ボタン７７をタッチすることで１件づつスクロールアップするか、ページボタン７６をタッチすることでページ単位（本実施形態では検索結果表示欄６６の表示可能件数５件づつ）でスクロールアップする。
また、スクロールバー７１をタッチして下方にドラッグすることでドラッグ量に対応してスクロールアップする。
【００７０】
図６に示すように、検索キー「まっく」に完全一致する関連語が抽出され、該関連語に対応する総称語が検索結果表示欄６６の最上位から表示されているので、検索結果表示欄６６のリスト表示がすべて総称語になる場合がある。このため、情報処理制御装置２０は、検索切換ボタン７８を配設（表示）し、ユーザが検索切換ボタン７８をタッチした場合に、通常検索で絞り込まれた目的地候補を検索結果表示欄６６の最上位から表示する。
検索切換ボタン７８には、その表示として通常検索で絞り込んだ目的地候補の施設が表示されることを表す文字として「施設」を表示する。
【００７１】
図７は、図６の候補表示画面６０において検索切換ボタン７８がタッチされた場合の画面を表したものである。
この図７に示されるように、情報処理制御装置２０は、「施設」と表示した検索切換ボタン７８がタッチされると、検索結果表示欄６６の表示を、通常検索で絞り込んだ目的地候補の先頭（５０音順）を最上段にしてリスト表示する。
図６では、目的地候補の先頭が「マックスストア本店」なので、この目的地候補を検索結果表示欄６６の最上段に表示し、以下「マックスストア○○店」「マックスメガネ」「マックリーベーカー」「まっくろお化け屋敷」を表示する。これ以降の目的地候補は、ページボタン７６等の操作にあわせてスクロールアップ、スクロールダウンする。
【００７２】
情報処理制御装置２０は、検索結果表示欄６６に通常検索で絞り込んだ目的地候補の先頭に遷移して表示させた場合、検索切換ボタン７８の表示を「施設」から「あいまい」に切り換える（図７参照）。
ユーザがこの「あいまい」と表示された検索切換ボタン７８をタッチすると、情報処理制御装置２０は、曖昧検索で絞り込んだ総称語から順に検索結果表示欄６６に表示する、図６の状態に戻す。
【００７３】
なお、検索切換ボタン７８の表示の切り換えは、「施設」を表示した状態で検索切換ボタン７８にタッチした場合だけでなく、表示されていた総称語がスクロール操作によって検索結果表示欄６６に表示されなくなった時点で「あいまい」の表示に切り換えるようにしてもよい。つまり、総称語が表示されているか否かで表記を変更するようにしてもよい。
また、検索切換ボタン７８は、表記を切り換えるのではなく、共通の表記「施設／あいまい」としてもよい。
【００７４】
以上説明したように、本実施形態は次のように構成している。
すなわち、入力文字を検索キーとして、通常の検索と曖昧検索を行う。曖昧検索は、関連語（マック、コンビニ等）、総称語、目的地データが関連付けられた曖昧辞書を使用し、入力文字と完全一致する関連語を抽出し、抽出した関連語に対応する総称語と、該総称語に対象する目的地候補を絞り込む。
検索結果は、曖昧検索で抽出した関連語から絞り込んだ総称語を、通常検索で絞り込んだ目的地候補と共にリスト表示する。
また、検索結果のリストは、総称語を先に表示する一方、通常の目的地候補の先頭に表示リストを移動するための検索切換ボタン７８を配置する。
以上の構成により、本実施形態では次のような効果を得ることができる。
【００７５】
（１）曖昧検索では、検索キーと完全一致した関連語を抽出し、関連語に対応した目的地候補を絞り込むので、曖昧検索による目的地候補が膨大な量になり、かえって希望する目的地を探しにくくなるということが防止される。
（２）また曖昧検索で絞り込んだ目的地候補ではなく、抽出した関連語に対応する総称語を通常検索で絞り込んだ目的地候補と共に検索結果表示欄６６にリスト表示するので、曖昧検索を必要としないユーザにとって不要なリストの表示数を少なくすることができる。
一方、曖昧検索を希望するユーザにとっては、関連語や総称語から希望する目的地を探し易くなる。
（３）また、検索切換ボタン７８により、通常検索による目的地候補の先頭からのリスト表示への切換と、曖昧検索による総合語の先頭からのリスト表示への切換ができるので、曖昧検索が不要なユーザであっても直ちに通常検索のリスト表示を行うことができる。
特に、図６の例では総称語が２つだけ表示されているが、検索結果表示欄６６の表示可能件数（本実施形態では、５件）以上の総称語が抽出されている場合には、リスト表示のスクロールで探さなくても、検索切換ボタン７８により容易に通常検索による目的地候補をリスト表示することができる。
【００７６】
なお、本実施形態として、次のように構成するようにしてもよい。
（１）構成Ａ
検索キーに対応付けられた目的地データを複数記憶する目的地データ記憶手段と、
目的地データに関連する関連語と、該関連語に対応つけられた複数の目的地データを総称する総称語が記憶され、各総称語と目的地データとが対応付けられた曖昧辞書を記憶する曖昧辞書記憶手段と、
文字を入力する文字入力手段と、
前記入力された文字を検索キーとして前記目的地データ記憶手段に記憶された目的地データを絞り込む通常検索手段と、
前記入力された文字を検索キーとして前記関連語を抽出し、該関連語に対応付けられた総称語と、該総称語に対応付けられた目的地データを絞り込む曖昧検索手段と、
前記曖昧検索手段で絞り込まれた総称語と、前記通常検索で絞り込まれた目的地データを、前記入力された文字に対応する検索結果としてリスト表示する検索結果表示手段と、
を具備したことを特徴とする目的地入力装置。
（２）構成Ｂ
前記検索結果表示手段は、前記表示した総称語が選択された場合に、該総称語に対応して絞り込まれた目的地データをリスト表示する、
ことを特徴とする構成Ａに記載の目的地入力装置。
（３）構成Ｃ
検索切換ボタンを備え、
前記検索結果表示手段は、前記検索切換ボタンが選択された場合、前記通常検索で絞り込まれた目的地データの先頭からリスト表示する、
ことを特徴とする構成Ａ、又は構成Ｂに記載の目的地入力装置。
（４）構成Ｄ
検索キーに対応付けられた目的地データを複数記憶する目的地データ記憶手段と、目的地データに関連する関連語と、該関連語に対応つけられた複数の目的地データを総称する総称語が記憶され、各総称語と目的地データとが対応付けられた曖昧辞書を記憶する曖昧辞書記憶手段とを備えたコンピュータに、
文字を入力する文字入力機能と、
前記入力された文字を検索キーとして前記目的地データ記憶手段に記憶された目的地データを絞り込む通常検索機能と、
前記入力された文字を検索キーとして前記関連語を抽出し、該関連語に対応付けられた総称語と、該総称語に対応付けられた目的地データを絞り込む曖昧検索機能と、
前記曖昧検索機能で絞り込まれた総称語と、前記通常検索で絞り込まれた目的地データを、前記入力された文字に対応する検索結果としてリスト表示する検索結果表示機能と、
を実現させることを特徴とする目的地入力用プログラム。
【図面の簡単な説明】
【００７７】
【図１】本実施形態が適用されるナビゲーション装置のシステム構成図である。
【図２】目的地データファイル及び曖昧データファイルに記憶される目的地データと曖昧辞書の対応関係を概念的に表したものである。
【図３】目的地入力処理においてディスプレイに表示される文字入力画面の説明図である。
【図４】候補表示画面の説明図である。
【図５】文字入力画面で「まっ」の２文字が入力された後に完了ボタンがタッチされた場合の候補表示画面の表示状態を表した説明図である。
【図６】文字入力画面で「まっく」の３文字が入力された後に完了ボタンがタッチされた場合の候補表示画面の表示状態を表した説明図である。
【図７】図６の候補表示画面において検索切換ボタンがタッチされた場合の画面を表した説明図である。
【符号の説明】
【００７８】
１０  現在位置検出装置
２０  情報処理制御装置
４０  入出力装置
４１  入力装置
４２  ディスプレイ
５０  情報記憶装置
６１  検索キー欄
６５  全件数表示欄
６６  検索結果表示欄
６７  詳細ボタン
６８  曖昧検索件数欄
６９  戻るボタン
７８  検索切換ボタン
８１  入力文字欄
８２  候補件数欄
８５  入力キーボード
８６  完了ボタン
【図１】
0005240547.tif 000002
【図２】
0005240547.tif 000003
【図３】
0005240547.tif 000004
【図４】
0005240547.tif 000005
【図５】
0005240547.tif 000006
【図６】
0005240547.tif 000007
【図７】
0005240547.tif 000008